(57)【要約】【課題】被充電機器に対して充電を行なわないときには充電端子が筐体内に格納されるようにすることができると共に、部品点数を少なくし、簡単な構造にすることができる充電置き台、及び充電置き台と被充電機器とにより構成される充電システムを提供する。【解決手段】載置部７０を有する筐体６４と、前記筐体内部に格納されて充電電流を供給する充電端子８８および当該充電端子が設けられる基板８４と、を備え、前記基板は、前記載置部にて可動状態に突出する可動部９０を有すると共に、前記充電端子は、被充電機器１１０に当接する当接部８８ｃが前記載置部に突出する方向に付勢され、前記筐体は、前記基板を摺動可能に保持する保持部１００と、前記充電端子に当接して充電端子の付勢を規制する規制部８２と、前記規制部に隣接して設けられる開口部８０と、を有し、前記筐体に被充電機器が取付けられると前記充電端子が前記開口部より突出するようにした。【選択図】図６
2007181299.tif 000002
【特許請求の範囲】
【請求項１】
載置部を有する筐体と、前記筐体内部の前記載置部下に格納されて充電電流を供給する充電端子および当該充電端子が設けられる基板と、を備え、前記載置部に被充電機器を載置して前記充電端子により充電を行なう充電置き台であって、
前記基板は、前記載置部にて可動状態に突出する可動部を有すると共に、前記筐体内部にて第１の位置から第２の位置に移動する方向に付勢されており、
前記充電端子は、基板に固定されると共に、前記被充電機器の受電端子に当接する当接部が前記載置部に突出する方向に付勢され、
前記筐体は、前記基板を前記第１の位置と第２の位置とに摺動可能に当該基板を保持する保持部と、前記基板が前記第２の位置にあるときに前記充電端子に当接して充電端子の付勢を規制する規制部と、前記規制部に隣接して設けられる開口部と、を有し、
前記可動部は、前記筐体に被充電機器が取付けられると被充電機器に係合し、前記基板を前記第１の位置に移動させ、当該移動に連動して前記充電端子が移動されて当該充電端子の付勢が前記規制部による規制から開放されて前記開口部より突出することを特徴とする充電置き台。
【請求項２】
前記可動部は、前記基板が外部電源から電力供給を受けるコネクターが一体に形成されていると共に、前記基板の端部に取付けられることを特徴とする請求項１に記載の充電置き台。
【請求項３】
前記充電端子は、前記基板の移動方向に対して直交する方向における前記可動部の幅よりも広い間隔で複数設けられていることを特徴とする請求項１又は２に記載の充電置き台。
【請求項４】
前記開口部と前記規制部は、前記基板の摺動方向と一致する並びで配されていることを特徴とする請求項１から３のいずれか一に記載の充電置き台。
【請求項５】
前記規制部は、前記開口部から遠ざかるにしたがって前記載置部からの高さが高くなる斜面にて構成されていることを特徴とする請求項４に記載の充電置き台。
【請求項６】
前記充電端子は、弾性を有する線状導体で構成され、当該線状導体を折り曲げることにより前記当接部が形成されることを特徴とする請求項１から５のいずれか一に記載の充電置き台。
【請求項７】
請求項１から６のいずれか一項に記載の充電置き台と、前記被充電機器とにより構成される充電システムであって、
前記充電置き台は、前記可動部の前記載置部側に設けられる第１の係合部と、前記載置部を挟み前記可動部と反対側に設けられる第２の係合部とを有し、
前記被充電機器は、前記第１の係合部に係合する第１の被係合部と、前記第２の係合部に係合する第２の被係合部と、前記載置部に取付けられた際に突出する前記充電端子に対向する位置に設けられる受電端子とを有し、
前記被充電機器が前記載置部に載置される際、前記第１の係合部と第２の係合部とにより、前記第１の被係合部と第２の被係合部とが挟持されてロックされる
ことを特徴とする充電システム。
【発明の詳細な説明】
【技術分野】
【０００１】
本発明は、携帯電話機等の被充電機器に対して充電を行なう充電置き台、及びこのような充電置き台と被充電機器とにより構成される充電システムに関するものである。
【背景技術】
【０００２】
従来において、筐体上の載置板上に携帯電話機等の被充電機器を載せると、筐体内部に格納されていた充電端子が、被充電機器側の受電端子に向かって突出し接触することにより、この充電端子と被充電機器側の受電端子が回路接続して、被充電機器側に充電電流を供給するようになっている充電置き台があった（例えば、特許文献１及び２参照）。
【０００３】
図９は、前記特許文献１に係る充電置き台２を説明するために参照する図である。この充電置き台２は、載置板６上に被充電機器８が載置されることにより、載置板６上に突出する第１レバー２２の端部２２ｂが、押し下げられて回動すると、連結棒２４及び第２レバー２６が連動して、ねじりコイルばね２８におけるアーム２８ａの頂点２８ｂが、載置板６の開口部６ｃを通過して外側に突出し、被充電機器８の下面の受電端子３０に接触して回路接続するようになっている。これにより、ねじりコイルばね２８のアーム２８ａは、充電端子として被充電機器８に給電するようになっている。
【０００４】
また、図１０は、前記特許文献２に係る充電置き台３２を説明するために参照する図である。この充電置き台３２は、その載置板３６上に被充電機器３８が載置されると、載置板３６上に突出する、プッシュボタン５２の突起５２ａが押し下げられて、ねじりコイルばね５８におけるアーム５８ｂの回動動作を止めていた、水平移動部材５４のピン５４ｂが連動してガイド部４２側に移動するため、アーム５８ｂの頂点５８ｃが、ガイド部４０の開口部４０ａを通過して外側に突出し、被充電機器８の側面の受電端子６０に接触して回路接続するようになっている。これにより、ねじりコイルばね５８のアーム５８ｂは、充電端子として被充電機器３８に給電するようになっている。
【０００５】
前記特許文献１及び２に係る充電置き台２，３２では、充電端子として機能するねじりコイルばね２８，５８のアーム２８ａ，５８ｂが、被充電機器８，３８に対して充電を行なわないときには筐体４，３４内に格納されるようになっているため、コイルばね２８，５８のアーム２８ａ，５８ｂが、被充電機器８，３８以外の物に接触して破損するのを防止するようになっていると共に、被充電機器８，３８以外の物に接触して通電してしまうことを防止するようになっている。
【特許文献１】特開２００５−１１７７０３号公報
【特許文献２】特開２００５−２９５６４３号公報
【発明の開示】
【発明が解決しようとする課題】
【０００６】
しかしながら、前記特許文献１に係る充電置き台２では、被充電機器８に対する充電時に、充電端子であるねじりコイルばね２８のアーム２８ａと、被充電機器８の受電端子３０との間の接触が確実に行なわれるようにするために、被充電機器８が載置板６上から浮き上がらないようにする２つの爪１４，１６以外にも、充電端子であるアーム２８ａを載置板６上に適切に突出させる機構、すなわち第１レバー２２、連結棒２４及び第２レバー２６等を、２つの爪１４，１６とは全く別個に備える必要があった。
【０００７】
また、前記特許文献１に係る充電置き台２では、その筐体４の載置板６が、筐体４内の第１レバー２２の端部２２ｂを、この載置板６上に突出させるようにする構造を備えていなければならなかった。
【０００８】
このため、前記特許文献１に係る充電置き台２は、全体の部品点数が増えてしまうと共に、全体構造が複雑化してしまうという問題があった。
【０００９】
また、前記特許文献２に係る充電置き台３２にあっても、前記特許文献１に係る充電置き台２と同様に、被充電機器３８に対する充電時に、充電端子であるねじりコイルばね５８のアーム５８ｂと、被充電機器３８の受電端子６０との間の接触が確実に行なわれるようにするために、被充電機器３８が載置板３６上から浮き上がらないようにする２つの爪４４，４６以外にも、充電端子であるアーム５８ｂをガイド部４０の開口部４０ａから適切に突出させる機構、すなわちプッシュボタン５２及び水平移動部材５４等を、２つの爪４４，４６とは全く別個に備える必要があった。
【００１０】
また、前記特許文献２に係る充電置き台３２では、その筐体３４の載置板３６が、筐体３４内のプッシュボタン５２の突起５２ａを、この載置板３６上に突出させるようにする構造を備えていなければならなかった。
【００１１】
このため、前記特許文献２に係る充電置き台３２は、前記特許文献１に係る充電置き台２と同様に、全体の部品点数が増えてしまうと共に、全体構造が複雑化してしまうという問題があった。
【００１２】
そこで本発明は、上記問題点に鑑みて、被充電機器に対して充電を行なわないときには充電端子が筐体内に格納されるようにすることができると共に、部品点数を少なくし、簡単な構造にすることができる充電置き台、及びこのような充電置き台と被充電機器とにより構成される充電システムを提供することを課題とするものである。
【課題を解決するための手段】
【００１３】
上記課題を解決するために本発明は、
載置部を有する筐体と、前記筐体内部の前記載置部下に格納されて充電電流を供給する充電端子および当該充電端子が設けられる基板と、を備え、前記載置部に被充電機器を載置して前記充電端子により充電を行なう充電置き台であって、
前記基板は、前記載置部にて可動状態に突出する可動部を有すると共に、前記筐体内部にて第１の位置から第２の位置に移動する方向に付勢されており、
前記充電端子は、基板に固定されると共に、前記被充電機器の受電端子に当接する当接部が前記載置部に突出する方向に付勢され、
前記筐体は、前記基板を前記第１の位置と第２の位置とに摺動可能に当該基板を保持する保持部と、前記基板が前記第２の位置にあるときに前記充電端子に当接して充電端子の付勢を規制する規制部と、前記規制部に隣接して設けられる開口部と、を有し、
前記可動部は、前記筐体に被充電機器が取付けられると被充電機器に係合し、前記基板を前記第１の位置に移動させ、当該移動に連動して前記充電端子が移動されて当該充電端子の付勢が前記規制部による規制から開放されて前記開口部より突出することを特徴とするものである。
【００１４】
また、本発明による充電置き台における前記可動部は、前記基板が外部電源から電力供給を受けるコネクターが一体に形成されていると共に、前記基板の端部に取付けられることを特徴とするものである。
【００１５】
また、本発明による充電置き台における前記充電端子は、前記基板の移動方向に対して直交する方向における前記可動部の幅よりも広い間隔で複数設けられていることを特徴とするものである。
【００１６】
また、本発明による充電置き台における前記開口部と前記規制部は、前記基板の摺動方向と一致する並びで配されていることを特徴とするものである。
【００１７】
また、本発明による充電置き台における前記規制部は、前記開口部から遠ざかるにしたがって前記載置部からの高さが高くなる斜面にて構成されていることを特徴とするものである。
【００１８】
また、本発明による充電置き台における前記充電端子は、弾性を有する線状導体で構成され、当該線状導体を折り曲げることにより前記当接部が形成されることを特徴とするものである。
【００１９】
また、上記課題を解決するために本発明は、
上記いずれかの充電置き台と、前記被充電機器とにより構成される充電システムであって、
前記充電置き台は、前記可動部の前記載置部側に設けられる第１の係合部と、前記載置部を挟み前記可動部と反対側に設けられる第２の係合部とを有し、
前記被充電機器は、前記第１の係合部に係合する第１の被係合部と、前記第２の係合部に係合する第２の被係合部と、前記載置部に取付けられた際に突出する前記充電端子に対向する位置に設けられる受電端子とを有し、
前記被充電機器が前記載置部に載置される際、前記第１の係合部と第２の係合部とにより、前記第１の被係合部と第２の被係合部とが挟持されてロックされることを特徴とするものである。
【発明の効果】
【００２０】
このような本発明の充電置き台及び充電システムによれば、充電置き台は、被充電機器に対して充電を行なわないときには充電端子が筐体内に格納されるようにすることができると共に、部品点数を少なくし、簡単な構造にすることができる。
【発明を実施するための最良の形態】
【００２１】
以下、本発明に係る充電置き台及び充電システムの実施の形態について、図面に基づいて具体的に説明する。
図１ないし図８は、本発明の一実施の形態に係る充電置き台６２について説明するために参照する図である。
【００２２】
充電置き台６２は、図１に示すように、平面形状が略矩形状の筐体６４を備えている。この筐体６４は、その厚さ方向に互いに接合する上側ケース６６と下側ケース６８とを備えて構成されており、上側ケース６６と下側ケース６８との間には、内部空間が形成されている。
【００２３】
上側ケース６６は、水平に配置される平板状の載置部７０を有しており、この載置部７０の縁部全周に、下側ケース６８側に高さを有して、その高さ先端面が下側ケース６８に接合する側壁７１が設けられている。
【００２４】
上側ケース６６の載置部７０上には、後述する携帯電話機１１０が載置される。載置部７０上には、その長さ方向における一方の端部側の両隅部のそれぞれに、この両隅部のそれぞれに対応する後述の携帯電話機１１０の隅部が長さ方向及び幅方向に突当てられることにより、この後述の携帯電話機１１０の水平方向の大体の位置決めを行なうガイド部７２が、高さを有するよう立設されている。
【００２５】
また、上側ケース６６の載置部７０上には、その長さ方向におけるガイド部７２とは反対側の端部であって幅方向の中央の位置に、ガイド部７４が高さを有するよう立設されている。このガイド部７４は、その高さ中間位置に、ガイド部７２側に突設される爪７６を有している。爪７６は、載置部７０上に載置される後述の携帯電話機１１０の凹部１１８に係合するようになっている。
【００２６】
また、上側ケース６６の載置部７０には、その長さ方向におけるガイド部７２側の端部であって幅方向の中央の位置に、開口形状が矩形状の第１開口部７８が上方に開口するよう形成されている。この第１開口部７８は、載置部７０の長さ方向及び幅方向のそれぞれと平行方向に長さと幅を有している。
【００２７】
また、上側ケース６６の側壁７１であって、ガイド部７２側において上側ケース６６の幅方向に伸びる長さ部分の中央の位置には、上側ケース６６の幅方向の一定長さ範囲で、この側壁７１の下側ケース６８から載置部７０側に一定深さを有する切欠き部７９が形成されている。
【００２８】
また、上側ケース６６の載置部７０には、その長さ方向における略中間の位置に、２つの第２開口部８０が載置部７０の幅方向に離れて並んで形成されている。第２開口部８０のそれぞれは、その開口形状が細長い矩形状であって、載置部７０の長さ方向に長さを有している。
【００２９】
また、上側ケース６６における載置部７０の裏面側には、図２，３に示すように、下側ケース６８側（図２中、紙面の奥側方向）に高さを有する、２つのカム部８２（規制部に相当）が形成されている。この２つのカム部８２のそれぞれは、上側ケース６６の幅方向に離れて並ぶ２つの第２開口部８０のそれぞれに対応して、この第２開口部８０のガイド部７４側に隣接して形成されている。
【００３０】
カム部８２には、図３に示すように、斜面８２ａが形成されている。この斜面８２ａは、第２開口部８０から上側ケース６６の長さ方向に遠ざかっていくにしたがって、載置部７０の裏面からの下方への高さが高くなるよう形成されている。
【００３１】
次に、図４は、充電置き台６２の平面図であって、筐体６４の内部の構成を説明するために、この筐体６４の上側ケース６６を図示しないようにした図である。同図に示すように、充電置き台６２は、筐体６４の内部に、１枚の回路基板８４、１つの引張ばね８６、２つのねじりコイルばね８８（充電端子に相当）、及び１つの可動部９０を備えている。
【００３２】
回路基板８４は、その平面形状が、筐体６４の長さ方向及び幅方向のそれぞれと平行方向に長さと幅を有する略矩形状に形成されており、一定の厚さを有している。回路基板８４は、その長さ方向に摺動可能となるように、幅方向の両端部が、下側ケース６８の保持部１００に保持されている。
【００３３】
下側ケース６８の保持部１００は、第１レール１００ａと第２レール１００ｂとで構成されている。第１レール１００ａ及び第２レール１００ｂのそれぞれは、下側ケース６８の底板部６８ａ上に立設され、筐体６４の長さ方向に長さを有して互いに平行に配置されている。
【００３４】
この保持部１００の第１レール１００ａは、図５に示すように、その長さ方向に直角の断面形状が、アルファベットのＦ字状に形成されている。この断面形状のＦ字における上段と中段の２つの横棒のそれぞれは、互いに平行に第２レール１００ｂ側に伸びており、この上段と中段の２つの横棒の間の間隔の寸法は、回路基板８４の厚さ寸法よりも若干大きい寸法になっている。
【００３５】
また、第２レール１００ｂは、その長さ方向に直角の断面形状が、第１レール１００ａの断面形状と対称に形成されている。回路基板８４は、その幅方向の両端部のそれぞれが、保持部１００における第１レール１００ａと第２レール１００ｂのそれぞれにおける断面の２本の横棒の間に入り込むことにより、この保持部１００に保持されて、長さ方向に摺動可能になっている。
【００３６】
また、下側ケース６８の底板部６８ａ上であって、保持部１００の第１レール１００ａと第２レール１００ｂとの間には、リブ１０２が立設されており、回路基板８４におけるその幅方向の中間位置を下側から支持している。
【００３７】
なお、保持部１００の第１レール１００ａ及び第２レール１００ｂのそれぞれにおける、その長さ方向に直角の断面形状の上段部分は、上側ケース６６に構成されていてもよい。
【００３８】
次に、図３及び図４に示す引張ばね８６は、一端側のフック８６ａが、回路基板８４におけるその長さ方向のガイド部７４側の端部であって幅方向の中央の位置に引掛けられており、引張ばね８６の他端側のフック８６ｂが、下側ケース６８の底板部６８ａ上に立設されたポスト９２に引掛けられている。これにより、回路基板８４は引張ばね８６により、ガイド部７２からガイド部７４を向く方向（図４中、右方向）に常時付勢されている。
【００３９】
また、２つのねじりコイルばね８８は、図４に示すように、回路基板８４におけるその長さ方向のガイド部７４側の端部において、引張ばね８６のフック８６ａを間に挟んで、回路基板８４の幅方向に互いに離れて配置されている。２つのねじりコイルばね８８のそれぞれは、その２本のアーム８８ａ，８８ｂのうちの一方のアーム８８ａが回路基板８４上に半田付け等により固定されている。また、ねじりコイルばね８８のそれぞれは、アーム８８ａが回路基板８４に固定されていることにより、この回路基板８４上の不図示の給電回路と回路接続されている。
【００４０】
また、アーム８８ｂには、図３に示すように、その長さ中間位置に、三角波形状であってその頂点が載置部７０側を向く当接部８８ｃが形成されている。この当接部８８ｃは、図示しないが当初において長さ全部が真直ぐであった、アーム８８ｂの長さ中間部を折り曲げることにより形成することができる。
【００４１】
ねじりコイルばね８８は、自身のばね作用によりアーム８８ｂが載置部７０側に常時付勢されており、アーム８８ｂはカム部８２側に伸びて、その先端がカム部８２の斜面８２ａ上に押し付けられている。
【００４２】
また、可動部９０は、図４に示すように、１つの基部９２と、２つの鉤部９４を備えている。基部９２は、略直方体形状を有しており、筐体６４の長さ方向、幅方向及び高さ方向のそれぞれと平行方向に、長さと幅と高さを有している。
【００４３】
基部９２は、その幅方向の長さ寸法（図４中、寸法Ｗ１）が、互いに離れて配置された２つのねじりコイルばね８８の間隔の寸法（図４中、寸法Ｗ２）よりも短く設定されている。
【００４４】
また、基部９２の内部には、図示しない家庭用電源コンセント等の外部電源に接続される配線コードのコネクター９６と着脱自在に接続する、コネクターが一体的に設けられている（図１参照）。基部９２は、図３に示すように、その長さ方向の一方の端面において、配線コードのコネクター９６と接続するようになっており、この基部９２のコネクター９６側の端面は、上側ケース６６の切欠き部７９から外部に露出している。
【００４５】
また、基部９２は、コネクター９６と接続する側の端面とは反対の端部側の一定長さ範囲が、回路基板８４におけるガイド部７２側の端部の上面上に載置され固定されている。上記外部電源に接続される配線コードのコネクター９６は、基部９２を介して、回路基板８４上の不図示の給電回路に回路接続されている。
【００４６】
また、可動部９０の２つの鉤部９４のそれぞれは、図４に示すように、基部９２におけるその幅方向の両端部であって長さ方向の中間位置に、図３に示すように、上方に高さを有して立設されている。この鉤部９４の先端部には、ガイド部７４側に突出する爪９４ａが形成されている。可動部９０の鉤部９４は、高さを有していることにより、上側ケース６６における載置部７０の第１開口部７８を通って、この載置部７０上に突出している（図１参照）。
【００４７】
次に、図６ないし図８に基づいて、充電置き台６２の動作について説明する。充電置き台６２の筐体６４の載置部７０上には、この充電置き台６２に対応する携帯電話機１１０（被充電機器に相当）が載置される。図６ないし図８において、携帯電話機１１０は、仮想線（二点鎖線）で表わすようにする。
【００４８】
携帯電話機１１０は、図６に示すように、２つの筐体１１２，１１４を有しており、この２つの筐体１１２，１１４の互いの長さ方向の一方の端部同士が、ヒンジ１１６を介して折畳み自在に連結されている。携帯電話機１１０には、充電置き台６２に載置する際に下側になる筐体１１４の長さ方向のヒンジ１１６側の端面に、凹部１１８が形成されており、反対側の端面に凹部１２０が形成されている。
【００４９】
なお、凹部１１８，１２０に爪７６，９４ａが係合された状態でも、２つの筐体１１２，１１４が開閉可能になるよう、ガイド部７４の高さは、筐体開状態にて筐体１１２に当たらない程度に構成されている。
【００５０】
また、携帯電話機１１０の筐体１１４には、受電端子１２２が設けられている。この受電端子１２２は、充電置き台６２の載置部７０に対向する、筐体１１４の下面側に露出して設けられており、充電置き台６２の載置部７０の２つの第２開口部８０に対応する２つの位置に配置されている。
【００５１】
充電置き台６２は、携帯電話機１１０が載置されていない当初の状態において、回路基板８４が引張ばね８６に付勢されていることにより、この回路基板８４に固定されている可動部９０の鉤部９４が、載置部７０の第１開口部７８における、ガイド部７４側の縁部に突き当てられ、回路基板８４の移動が規制されている。このときの回路基板８４の位置を、後述する第１の位置に対応させて、第２の位置ということとする。
【００５２】
回路基板８４が第２の位置にある状態において、ねじりコイルばね８８のアーム８８ｂの先端部は、カム部８２の斜面８２ａ上であって、載置部７０の裏面からの下方への高さ方向におけるカム部８２の先端部寄りの位置に当接しているため、アーム８８ｂに加わるこのコイルばね８８自身の付勢力は、アーム８８ｂの当接部８８ｃが載置部７０の第２開口部８０から外部（図中上方）に突出しないよう、規制されている。
【００５３】
次に、携帯電話機１１０を若干傾斜させながら、その筐体１１４の凹部１２０を、充電置き台６２における鉤部９４の爪９４ａに係合させた後、携帯電話機１１０を、図７に示すように、充電置き台６２のガイド部７４側からガイド部７２側に、鉤部９４が第１開口部７８におけるガイド部７４とは反対側の縁部に突き当たるまで移動させる。このとき、充電置き台６２の可動部９０及び回路基板８４は、同じ方向に同じ長さ分だけ一緒に移動する。ここで、このような回路基板８４の移動後の位置を、第１の位置ということとする。
【００５４】
このように回路基板８４が第１の位置に移動するまでの間に、ねじりコイルばね８８のアーム８８ｂの先端部は、このコイルばね８８自身の付勢力を受けながらカム部８２の斜面８２ａ上を滑動して、載置部７０の裏面からの下方への高さが低い裾側に移動する。これにより、アーム８８ｂの当接部８８ｃは、載置部７０の第２開口部８０から外部（図中上方）に突出する。
【００５５】
そして、携帯電話機１１０が、鉤部９４を回路基板８４の付勢方向と反対向きにわずかに力を加えて移動させ、その筐体１１４の凹部１２０側の端部を支点として時計回り方向に回動させられ、水平の状態となって充電置き台６２の載置部７０上に載置されると、図８に示すように、充電置き台６２のガイド部７４の爪７６は、携帯電話機１１０の筐体１１４の凹部１１８に係合し、充電置き台６２のコイルばね８８の当接部８８ｃは、携帯電話機１１０の受電端子１２２に当接して、充電電流を供給するようになる。また、爪９４ａは、回路基板８４の付勢により、凹部１２０をガイド部７４の方向へ押圧し、携帯電話機１１０は爪９４ａと爪７６とによって挟持されてロックされる。
【００５６】
したがって、充電置き台６２において、可動部９０の鉤部９４は、充電置き台６２に携帯電話機１１０が取付けられると、この携帯電話機１１０に係合し、回路基板８４を第１の位置に移動させ、当該移動に連動してねじりコイルばね８８の当接部８８ｃが移動されて、このコイルばね８８自身から加わる付勢が、カム部８２による規制から開放されて、第２開口部８０より突出することにより、携帯電話機１１０の受電端子１２２に当接して、充電電流を供給するようになっている。
【００５７】
また、携帯電話機１１０を充電置き台６２から取外せば、充電置き台６２は、引張ばね８６の作用により当初の図６に示すような状態に戻るため、ねじりコイルばね８８の当接部８８ｃは、筐体６４内に格納されるようになる。
【００５８】
このような本実施の形態に係る充電置き台６２及び充電システムによれば、携帯電話機１１０に対して充電を行なわないときには、充電端子であるねじりコイルばね８８の当接部８８ｃが、筐体６４内に格納されるようにすることができると共に、部品点数を少なくし、簡単な構造にすることができる。
【００５９】
特に充電置き台６２の載置部７０上に、携帯電話機１１０の非載置時に突出する部品を設ける必要もないため、デザイン上も有利である。さらに、このような非載置時に突出して載置時に埋没するような上下摺動を要する必要もなくなるため、充電置き台６２の厚さを抑えることもできる。
【００６０】
また、ねじりコイルばね８８の当接部８８ｃは、単にねじりコイルばね８８のコイルを中心として回動動作をするだけでなく、携帯電話機１１０と連動して摺動する回路基板８４と一緒に水平移動することにより、携帯電話機１１０の受電端子１２２に確実に当接するため、充電不良を防止することができる。
【００６１】
また、可動部９０の基部９２とコネクター９６とは脱着可能に構成されている。すなわち、無理な力が使用者によってかけられる事も想定すると、基部９２は回路基板８４に対して強固に固定されていなければならない。そして、携帯電話機１１０を充電置き台６２に取り付ける際には、可動部９０の鉤部９４が回路基板８４の付勢方向と反対方向に押圧されるため、可動部９０の鉤部９４は回路基板８４に対して強固に固定されていなければならない。しかしながら、本発明によれば、可動部９０の基部９２と鉤部９４とを一体的に形成しているため、回路基板８４に対して強固な取付けを別個に行なう必要が無い。特に強固な取付けとしてネジ等による締付けを行なう場合には、ネジの本数を少なくすることができる。
【００６２】
なお、本実施の形態に係る充電置き台６２では、筐体６４の載置部７０上にガイド部７２を設けていたが、このガイド部７２を設けないようにしてもよい。
【００６３】
また、本実施の形態に係る充電置き台６２では、可動部９０の基部９２がコネクターと一体的に形成されていたが、この基部９２とコネクターとは、互いに別個に設けられていてもよい。
【００６４】
また、本実施の形態に係る充電置き台６２では、ねじりコイルばね８８及び可動部９０のそれぞれは、図３に示すように、回路基板８４におけるガイド部７４側の端部、及びガイド部７２側の端部に配置されていたが、ねじりコイルばね８８及び可動部９０のそれぞれが配置される位置は、このような位置に限定されない。
【００６５】
例えば、ねじりコイルばね８８及び可動部９０のそれぞれは、回路基板８４の長さ方向に互いに近接して配置されるようになっていてもよい。このような場合でも、図４に示すように、回路基板８４の幅方向に離れて並ぶ２つのねじりコイルばね８８同士の間隔（図４中、寸法Ｗ２）は、可動部９０の幅寸法（図４中、寸法Ｗ１）よりも広いので、ねじりコイルばね８８及び可動部９０のそれぞれに対応する、図２の第２開口部８０及び第１開口部７８が、筐体６４の長さ方向に互いに近付いて配置されても、互いの開口形状が繋がってしまうことがないため、強度や安全性が低下することを防止することができる。
【００６６】
また、本実施の形態に係る充電置き台６２では、充電端子として、弾性を有する線状導体で構成され、当該線状導体を折り曲げることにより当接部８８ｃが形成される、ねじりコイルばね８８を用いたが、このようなねじりコイルばね８８と同じような動作を行なう他の部材を用いるようにしてもよい。例えば、薄い帯状の金属板が「く」字型に折り曲げられて、折り曲げた角度が広がるように作用するばね材を用いるようにしてもよい。
【００６７】
また、本実施の形態では、携帯電話機１１０が載置される充電置き台６２に、本発明を適用した場合について説明したが、本発明は、携帯電話機１１０以外の携帯電話機、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置やポータブルゲーム機のような、他の被充電機器を載置する充電置き台についても適用することができることはいうまでもない。
【図面の簡単な説明】
【００６８】
【図１】本発明の一実施の形態に係る充電置き台６２を示す斜視図である。
【図２】本発明の一実施の形態に係る充電置き台６２を示す平面図である。
【図３】本発明の一実施の形態に係る充電置き台６２の内部構造を示す図であって、図２中のＡ−Ａ線矢視図である。
【図４】本発明の一実施の形態に係る充電置き台６２の内部構造を示す図であって、図２に示す筐体６４の上側ケース６６を取除いた状態を示す平面図である。
【図５】本発明の一実施の形態に係る充電置き台６２の内部構造を示す図であって、図３中のＢ−Ｂ線矢視図である。
【図６】図２に示す充電置き台６２のＡ−Ａ線矢視図であって、この充電置き台６２の鉤部９４に携帯電話機１１０を係合させた状態を示す図である。
【図７】図２に示す充電置き台６２のＡ−Ａ線矢視図であって、この充電置き台６２の鉤部９４に携帯電話機１１０を係合させ、鉤部９４をガイド部７２側に移動させた状態を示す図である。
【図８】図２に示す充電置き台６２のＡ−Ａ線矢視図であって、この充電置き台６２上に携帯電話機１１０を載置した状態を示す図である。
【図９】従来の充電置き台２を示す側面断面図である。
【図１０】従来の充電置き台３２を示す側面断面図である。
【符号の説明】
【００６９】
２  充電置き台
６  載置板
６ｃ  開口部
８  被充電機器
１４，１６  爪
２２  第１レバー
２２ｂ  端部
２４  連結棒
２６  第２レバー
２８  ねじりコイルばね
２８ａ  アーム
２８ｂ  頂点
３０  受電端子
３２  充電置き台
３６  載置台
３８  被充電機器
４０  ガイド部
４０ａ  開口部
４２  ガイド部
４４，４６  爪
５２  プッシュボタン
５２ａ  突起
５４  水平移動部材
５８  ねじりコイルばね
５８ｂ  アーム
５８ｃ  頂点
６０  受電端子
６２  充電置き台
６４  筐体
６６  上側ケース
６８  下側ケース
６８ａ  底板部
７０  載置部
７１  側壁
７２，７４  ガイド部
７６  爪
７８  第１開口部
７９  切欠き部
８０  第２開口部
８２  カム部
８２ａ  斜面
８４  回路基板
８６  引張ばね
８６ａ，８６ｂ  フック
８８  ねじりコイルばね
８８ａ，８８ｂ  アーム
８８ｃ  当接部
９０  可動部
９２  基部
９４  鉤部
９４ａ  爪
９６  コネクター
１００  保持部
１００ａ  第１レール
１００ｂ  第２レール
１０２  リブ
１１０  携帯電話機
１１２，１１４  筐体
１１６  ヒンジ
１１８，１２０  凹部
１２２  受電端子
【図１】
2007181299.tif 000003
【図２】
2007181299.tif 000004
【図３】
2007181299.tif 000005
【図４】
2007181299.tif 000006
【図５】
2007181299.tif 000007
【図６】
2007181299.tif 000008
【図７】
2007181299.tif 000009
【図８】
2007181299.tif 000010
【図９】
2007181299.tif 000011
【図１０】
2007181299.tif 000012